(57)【特許請求の範囲】
【請求項１】
予め選定した複数の加入者の家屋又はその近傍に気象状態を検出するセンサを設置し、各センサの検出データを当該加入者のホームターミナルからＣＡＴＶ伝送系を介してＣＡＴＶセンタに送信するとともに、当該ＣＡＴＶセンタに設けたデータ処理部により、前記検出データに基づく気象情報を生成し、この生成した気象情報を加入者のホームターミナルに送信することを特徴とするＣＡＴＶシステムの情報処理方法。
【請求項２】
前記センサには、少なくとも雨滴センサを含むことを特徴とする請求項１記載のＣＡＴＶシステムの情報処理方法。
【請求項３】
前記気象情報を送信するに際し、予め、前記ホームターミナルに気象情報に係る複数の気象情報データを記憶させ、前記ＣＡＴＶセンタから前記ホームターミナルにコードデータを送信することにより、当該コードデータに対応する気象情報データを前記ホームターミナルから読み出すことを特徴とする請求項１記載のＣＡＴＶシステムの情報処理方法。
【請求項４】
前記気象情報データは、前記ＣＡＴＶセンタ側からの指令によりダウンロードすることを特徴とする請求項３記載のＣＡＴＶシステムの情報処理方法。
【請求項５】
前記ホームターミナルは、前記コードデータを受信したなら、当該コードデータに対応して所定の周辺機器を制御する二次制御信号を出力することを特徴とする請求項３記載のＣＡＴＶシステムの情報処理方法。
【請求項６】
前記気象情報を送信するに際し、前記気象情報を、前記ＣＡＴＶセンタから前記ホームターミナルに対して専用チャンネルにより送信することを特徴とする請求項１記載のＣＡＴＶシステムの情報処理方法。
【請求項７】
前記気象情報は、前記センサの検出データに加え、他地域における他のＣＡＴＶシステムにおける気象情報を利用して生成することを特徴とする請求項１記載のＣＡＴＶシステムの情報処理方法。
【発明の詳細な説明】
【０００１】
【発明の属する技術分野】
本発明は、気象情報を提供する際に用いて好適なＣＡＴＶ（ケーブルテレビジョン）システムの情報処理方法に関する。
【０００２】
【背景及び課題】
一般に、気象情報はラジオ，テレビジョン，新聞等の各種マスメディアを通して知ることができるが、このような一般的に知ることのできる気象情報は、通常、気象庁等から発表される気象データに基づくものであるため、次のような問題点があった。
【０００３】
第一に、一般家庭において洗濯物や布団を干すことは、主婦にとって日常的に行う仕事であり、天気、特に、降雨に関する情報は極めて重要な情報となる。しかし、一般的な気象情報は、都道府県単位或いは都道府県の分割地域単位となるため、キメ細かさに欠け、現実には、細かい地域毎の当たり外れが避けられないことから、情報の正確性及び信頼性に劣る。
【０００４】
第二に、不意に雨が降ってきたような場合、通常、雨音等によってはじめて気付くため、急いで洗濯物や布団を家の中に入れようとしても、多かれ少なかれ洗濯物や布団を濡らしてしまう。したがって、不意に降ってきた雨に対しては迅速かつ的確に対応できない。
【０００５】
本発明は、このような背景に基づく課題を解決したものであり、正確性及び信頼性の高いキメ細かい気象情報を得れるとともに、降雨に対しても迅速かつ的確に対応できるＣＡＴＶシステムの情報処理方法の提供を目的とする。
【０００６】
【課題を解決するための手段及び実施の形態】
本発明に係るＣＡＴＶシステム１の情報処理方法は、各所に気象状態を検出するセンサ２…を設置し、各センサ２…の検出データＤｄ…をＣＡＴＶ伝送系３を介してＣＡＴＶセンタ４に送信するとともに、当該ＣＡＴＶセンタ４に設けたデータ処理部５により、検出データＤｄ…に基づく気象情報を生成し、この生成した気象情報を加入者のホームターミナル６…に送信するようにしたことを特徴とする。
【０００７】
この場合、好適な実施の形態により、センサ２…は、予め選定した複数の加入者の家屋１１…又はその近傍に設置し、センサ２…の検出データＤｄ…を当該加入者のホームターミナル６…からＣＡＴＶセンタ４に送信する。なお、センサ２…には、少なくとも雨滴センサ２ｒ…を含ませる。一方、気象情報を送信するに際しては、予め、ホームターミナル６…に気象情報に係る複数の気象情報データＤｓ…を記憶させ、ＣＡＴＶセンタ４からホームターミナル６…にコードデータＤｃを送信することにより、当該コードデータＤｃに対応する気象情報データＤｓをホームターミナル６…から読み出すことができる。この際、ホームターミナル６…は、コードデータＤｃを受信したなら、当該コードデータＤｃに対応して所定の周辺機器１２を制御する二次制御信号Ｓｄを出力させることもできる。なお、気象情報データＤｓは、ＣＡＴＶセンタ４側からの指令によりダウンロードできる。さらに、気象情報を送信するに際しては、気象情報を、ＣＡＴＶセンタ４からホームターミナル６…に対して専用チャンネルＣｃにより送信することもできる。他方、気象情報は、センサ２…の検出データＤｄ…に加え、他地域における他のＣＡＴＶシステムにおける気象情報を利用して生成してもよい。
【０００８】
これにより、センサ２…によって降雨等の気象状態が検出され、この検出データＤｄ…は、ＣＡＴＶシステムにおける双方向通信機能により、ホームターミナル６…からＣＡＴＶ伝送系３を介してＣＡＴＶセンタ４に送信される。各センサ２…はＣＡＴＶシステム１のサービスエリア内における、例えば、予め選定された複数の加入者の場所に設置されるため、ＣＡＴＶセンタ４に備えるデータ処理部５により、受信した検出データＤｄ…を集計し、かつ解析すれば、サービスエリア内における最初に雨が降り出した場所や降雨場所の移動方向等を知ることができるため、これに基づく気象情報、即ち、今後の雨の降る地区や降り出す時間等を含めた気象情報を事前に生成できる。そして、この生成した気象情報は、ＣＡＴＶ伝送系３を介して、再び加入者のホームターミナル６…に送信するようにしたため、加入者は、正確性及び信頼性の高いキメ細かい気象情報を得れるとともに、降雨に対しても迅速かつ的確に対応可能となる。
【０００９】
【実施例】
次に、本発明に係る好適な実施例を挙げ、図面に基づき詳細に説明する。
【００１０】
まず、本実施例に係る情報処理方法を実施できるＣＡＴＶシステム１の構成について、図２〜図７を参照して説明する。
【００１１】
最初に、ＣＡＴＶシステム１の基本的構成部分について説明する。ＣＡＴＶシステム１は図２に示すように、ＣＡＴＶセンタ４が存在し、このＣＡＴＶセンタ４側とＣＡＴＶの各加入者側がＣＡＴＶ伝送系３を介して接続される基本的構成を有する。
【００１２】
ＣＡＴＶセンタ４には、図３に示すように、ヘッドエンド３０と、このヘッドエンド３０に接続した放送ソース設備３１を備える。ヘッドエンド３０は、図４に示すように、合成部３２及びこの合成部３２に接続した送信部３３を備える。この送信部３３には、テレビ及びＦＭのシグナルプロセッサ，テレビ及びＦＭ変調器，ＢＳ及びＣＳ衛星受信機，パイロット信号発生器，スクランブルエンコーダ等が含まれる。また、放送ソース設備３１には、ＦＭ，テレビ，ＢＳ及びＣＳ等の各種受信アンテナ設備や自主放送番組用のスタジオ設備が含まれる。
【００１３】
一方、加入者の各家屋１１…には、図３に示すように、テレビジョン受像機Ｔに接続するホームターミナル６を設置する。ホームターミナル６は、図４に示すように、ＲＦ受信部４１，データ受信部４２，ＭＰＵ（マイクロプロセッサユニット）４３，音声信号処理部４４，映像信号処理部４５等を備える。なお、ホームターミナル６の外観を図７に示す。ホームターミナル６はテレビジョン受像機Ｔの上面などに載置できる。図７中、Ｔｄはテレビジョン受像機Ｔのディスプレイ、Ｔｓ…はテレビジョン受像機Ｔのスピーカ、６ｒはホームターミナルを操作するためのリモコンをそれぞれ示す。
【００１４】
さらに、ＣＡＴＶ伝送系３は、加入者の家屋１１…に設置した各ホームターミナル６…とＣＡＴＶセンタ４に備えるヘッドエンド３０を接続するもので、このＣＡＴＶ伝送系３には、同軸ケーブルや光ファイバケーブル，中継・分岐・分配・延長のための各増幅器，分岐・分配器，電源供給器等を有し、これらが効果的に組み合わされる。
【００１５】
以上が、一般的なＣＡＴＶシステムの基本的構成部分であり、いわば公知の部分である。そして、このようなＣＡＴＶシステムの基本的構成部分に、本実施例に係る情報処理方法を実施するための付加的構成部分が付属する。
【００１６】
本発明に係るＣＡＴＶシステム１の情報処理方法は、予め選定した複数の加入者の家屋１１…又はその近傍に気象状態を検出するセンサ２…を設置し、各センサ２…の検出データＤｄ…を当該加入者のホームターミナル６…からＣＡＴＶ伝送系３を介してＣＡＴＶセンタ４に送信するとともに、当該ＣＡＴＶセンタ４に設けたデータ処理部５により、検出データＤｄ…に基づく気象情報を生成し、この生成した気象情報を加入者のホームターミナル６…に送信するようにしたことを特徴とする。
【００１７】
この場合、好適な実施の形態により、センサ２…には少なくとも雨滴センサ２ｒ…を含ませる。一方、気象情報を送信するに際しては、予め、ホームターミナル６…に気象情報に係る複数の気象情報データＤｓ…を記憶させ、ＣＡＴＶセンタ４からホームターミナル６…にコードデータＤｃを送信することにより、当該コードデータＤｃに対応する気象情報データＤｓをホームターミナル６…から読み出すことができる。この際、ホームターミナル６…は、コードデータＤｃを受信したなら、当該コードデータＤｃに対応して所定の周辺機器１２を制御する二次制御信号Ｓｄを出力させることもできる。なお、気象情報データＤｓは、ＣＡＴＶセンタ４側からの指令によりダウンロードできる。さらに、気象情報を送信するに際しては、気象情報を、ＣＡＴＶセンタ４からホームターミナル６…に対して専用チャンネルＣｃにより送信することもできる。他方、気象情報は、センサ２…の検出データＤｄ…に加え、他地域における他のＣＡＴＶシステムにおける気象情報を利用して生成してもよい。
【００１８】
ところで、このような雨滴センサ２ｒ…は、全てのホームターミナル６…に接続する必要はなく、予め選定した複数の加入者の家屋１１…又はその近傍に設置すれば十分である。即ち、ＣＡＴＶシステム１のサービスエリアＺ内における、例えば、数百メートル間隔の加入者毎に設置するなどの設置基準を設け、この設置基準に基づいてできるだけ均一間隔に設置する。この状態を図２に示す。
【００１９】
一方、周辺機器１２は、例えば、図６に示すような自動物干竿格納装置６０を想定できる。この自動物干竿格納装置６０は、水平方向に伸縮する蛇腹状に構成した左右一対の伸縮アーム機構６１…と、一対の伸縮アーム機構６１…の上端間に架設した一又は二以上の物干竿６２，６２と、伸縮アーム機構６１…を伸縮させるための駆動部６３を備える。これにより、この駆動部６３に付加処理部５０から出力する二次制御信号Ｓｄを付与すれば、伸縮アーム機構６１…を仮想線のように伸長させ、物干竿６２，６２が家屋の軒下６４から水平方向に突出する使用位置Ｘｕと、実線のように短縮させ、物干竿６２，６２が家屋の軒下６４の内側に格納する格納位置Ｘｒに選択的に位置させることができる。
【００２０】
他方、ＣＡＴＶセンタ４には、図３に示すように、ヘッドエンド３０に内蔵するデータ処理部５を備える。このデータ処理部５は、図４に示すように、合成部３２に接続する処理部本体７１，この処理部本体７１と合成部３２間に接続する送信部７２，この処理部本体７１に接続する他地域送受信系７３を備える。この場合、処理部本体７１は、ホームターミナル６…から送信される各雨滴センサ２ｒ…の検出データＤｄ…を集計し、かつ解析して気象情報を生成する機能を有する。また、他地域送受信系７３は、他地域をサービスエリアとする他のＣＡＴＶシステムからの気象情報を受信したり、当該他のＣＡＴＶシステムに対して自ら生成した気象情報を送信する機能を有する。なお、図３及び図４における各回路ブロックの接続状態を含む具体的な動作は、後述する本実施例に係る情報処理方法と一緒に説明する。
【００２１】
次に、本実施例に係る情報処理方法について、図２〜図７を参照しつつ図１に示すフローチャートに従って説明する。
【００２２】
今、ＣＡＴＶシステム１のサービスエリアＺに雨が降り始めたものとする。この際、任意の雨滴センサ２ｒ…に雨滴が付着すれば、当該雨滴センサ２ｒ…により降雨が検出される（ステップＳ１，Ｓ２）。そして、雨滴センサ２ｒ…による検出データＤｄ…は、ＣＡＴＶセンタ４に備える処理部本体７１に送信される。即ち、ＣＡＴＶシステム１における双方向通信機能により、検出データＤｄ…は、ホームターミナル６の付加処理部５０，ＣＡＴＶ伝送系３，ＣＡＴＶセンタ４の合成部３２を介して、処理部本体７１に付与される。
【００２３】
各雨滴センサ２ｒ…のサービスエリアＺ内における設置場所（位置）は予め選定されているため、処理部本体７１が各雨滴センサ２ｒ…の検出データＤｄ…を受信し（ステップＳ３）、集計処理を行えば、降雨場所，降雨開始時刻及び降雨範囲等を知ることができる。さらに、時間的な解析処理、例えば、各雨滴センサ２ｒ…の相互間における降雨開始時刻の時間差等を求めれば、降雨の移動方向及び移動速度等を知ることができる。したがって、検出データＤｄ…の集計結果及び解析結果により、サービスエリアＺ内における降雨状況を詳細かつ正確に把握できるため、処理部本体７１は、当該集計結果及び解析結果に基づいて加入者のための降雨情報（気象情報）を生成する（ステップＳ４）。
【００２４】
ところで、このような降雨情報は、他地域をサービスエリアとする他のＣＡＴＶシステムにおいても同様に得られるため、異なる複数のＣＡＴＶシステムにおける降雨情報を相互利用できる。したがって、他地域送受信系７３から周辺地域における同様の降雨情報を受信し（ステップＳ５）、上述した検出データＤｄ…の集計結果及び解析結果に加えて、他地域の降雨情報を含めた総合的な集計処理及び解析処理を行えば、より正確で信頼性の高い降雨情報を生成できる。なお、生成する具体的な降雨情報としては、「×時×分、○○地区に雨が降り始めました」、「△△地区は、×時×分ごろ雨になりそうです」、「□□地区は、×時×分ごろ雨になり、×時×分ごろには止みそうです」などである。
【００２５】
また、降雨情報を生成して送信するとは、予め降雨情報を作成し、コードデータＤｃと一緒にＣＡＴＶセンタ４側又はホームターミナル６…側に登録（記憶）させるとともに、使用時に、コードデータＤｃにより選択して読み出すことにより、そのまま或いは組合わせて使用する場合を含む概念である。
【００２６】
実施例は、予め作成した降雨情報に係る各種の降雨情報データ（気象情報データ）Ｄｓ…を、対応するコードデータＤｃ…と一緒にホームターミナル６のＭＰＵ４３に内蔵するメモリ（ＲＯＭ，ＥＥＰ−ＲＯＭ等）に記憶させている。したがって、処理部本体７１は、降雨情報が生成（選択）されたなら、これに対応するコードデータＤｃを、送信部７２，合成部３２及びＣＡＴＶ伝送系３を介して、ホームターミナル６のデータ受信部４２に送信する（ステップＳ６）。
【００２７】
一方、ホームターミナル６のデータ受信部４２は、コードデータＤｃを受信すれば（ステップＳ７）、このコードデータＤｃに対応する降雨情報データＤｓをＭＰＵ４３に内蔵するメモリから読み出し、映像信号処理部４５及び音声信号処理部４４に付与する。これにより、映像信号処理部４５及び音声信号処理部４４では所定の出力処理を行う（ステップＳ８）。即ち、映像信号処理部４５は、例えば、「△△地区は、×時×分ごろ雨になりそうです」の降雨情報データＤｓを再生し、スーパーインポーズ方法によって、図７に示すテレビジョン受像機ＴにおけるディスプレイＴｄに表示された本映像の下部一部に文字Ｗにより重畳表示する（ステップＳ９）。この場合の降雨情報データＤｓは、単独データであってもよいし、「△△地区は」、「×時×分ごろ」、「雨になりそうです」の複数データの組み合わせであってもよい。また、音声信号処理部４４は、当該降雨情報データＤｓの内容をスピーカＴｓ…から音声として出力する（ステップＳ９）。この場合、スピーカＴｓ…からは音声の代わりにアラーム（チャイム）音を出力してもよい。これにより、視聴者はディスプレイＴｄの表示に注意を向けさせられることになる。なお、このようなコードデータＤｃを送信する方法を採用すれば、例えば、降雨情報の配信を有料化し、指定したホームターミナル６…に対して個別に送信する場合に容易に対応できる利点がある。
【００２８】
また、付加処理部５０はコードデータＤｃを受信することにより、当該コードデータＤｃを判別し、その内容が降雨中或いは降雨を予報している場合には、周辺機器１２に対して二次制御信号Ｓｄを出力する。即ち、実施例の場合には、自動物干竿格納装置６０の駆動部６３に二次制御信号Ｓｄを付与する。これにより、伸縮アーム機構６１…は短縮することにより格納位置Ｘｒへ移動し、物干竿６２，６２は軒下６４の内側に格納せしめられる。
【００２９】
このように、本実施例に係る情報処理方法によれば、加入者の家屋１１…に降雨状態を検出する雨滴センサ２ｒ…を設置し、各雨滴センサ２ｒ…の検出データＤｄ…を、ＣＡＴＶ伝送系３を介してＣＡＴＶセンタ４に送信するとともに、当該ＣＡＴＶセンタ４に設けたデータ処理部５により、各雨滴センサ２ｒ…の検出データＤｄ…に基づく降雨情報を生成し、この生成した降雨情報を加入者のホームターミナル６…に送信するようにしたため、ＣＡＴＶシステム１のサービスエリアＺ内における、例えば、地区ごとに正確で信頼性の高い降雨情報を迅速に提供でき、不意に降ってくる雨に対しても迅速かつ的確に対応できる。
【００３０】
他方、図８には変更実施例を示す。この変更実施例は、降雨情報（気象情報）をホームターミナル６…に送信するに際して、専用チャンネルＣｃにより送信するものである。即ち、この場合、ＣＡＴＶセンタ４では処理部本体７１により、降雨情報に係わる映像及び音声を生成し、通報用の専用チャンネルＣｃにより送信するとともに、ホームターミナル６…では、受信部４６で受信した専用チャンネルＣｃを選択して視聴できるようにする。この際、同時に警報信号を送信し、自動的にテレビジョン受像機Ｔの電源スイッチをオンにしたり、自動で専用チャンネルＣｃに切換わるようにしてもよい。また、警報信号の代わりに、コードデータＤｃに基づいて生成される二次制御信号Ｓｄを利用してもよい。なお、図８中、図４と同一部分には同一符号を付し、その構成を明確にすることにより詳細な説明は省略する。図８中、Ｃｓは一般チャンネルを示している。
【００３１】
以上、実施例について詳細に説明したが、本発明はこのような実施例に限定されるものではなく、細部の構成，手法等において、本発明の要旨を逸脱しない範囲で任意に変更，追加，削除することができる。
【００３２】
例えば、センサ２は加入者の家屋１１…又はその近傍に設置する場合を示したが、必要に応じてＣＡＴＶ伝送系３における任意の場所に付加装置として接続してもよい。なお、センサ２を加入者の家屋１１…又はその近傍に設置した場合、加入者はセンサ２の検出データＤｄを直接利用することができる。即ち、別途のアラーム装置を設けるなどにより降雨を検出したなら、直ちに当該アラーム装置を作動させることにより降雨を報知できる。また、必要により、雨滴センサ２ｒは、雨量を定量的に検出できるセンサを用いたり、誤検出防止装置を付加してもよい。誤検出防止装置を付加すれば、鳥の排泄物等の付着により検出状態になっても、二カ所以上の検出を条件とするなどによって、その検出データＤｄをキャンセルできる。さらに、センサ２としては例示の雨滴センサ２ｒに限定されるものではなく、風の状態を検出する風力計や風向センサ，雷の放電エネルギにより雷の発生を検出する雷センサ，曇や晴の程度を検出する光センサ，温度センサ，湿度センサ等の各種センサ２が適用され、各種気象状態を検出することにより総合的な気象情報を生成できる。
【００３３】
一方、ホームターミナル６に記憶させた気象情報データ（降雨情報データ）Ｄｓ…は、ＣＡＴＶセンタ４側からの指令によりダウンロードし、気象情報データＤｓ…の訂正や追加を行ってもよい。また、周辺機器１２は、例示に限らず、例えば、雨により洗濯物が濡れないように屋根型のカバーを自動で移動させる装置や開いている窓を自動で閉める装置など任意の周辺機器１２を利用できる。さらに、ホームターミナル６…に対する気象情報の送信は、ＣＡＴＶセンタ４側において一般番組にテロップ状に付加して送信してもよい。その他、気象情報の生成に際しては、気象庁等の他の機関から公表されるデータや過去のデータベース等の各種データを参照して生成できる。また、例示した個々の実施例を組合わせて実施してもよい。
【００３４】
このように、本発明に係るＣＡＴＶシステムの情報処理方法は、予め選定した複数の加入者の家屋又はその近傍に気象状態を検出するセンサを設置し、各センサの検出データを当該加入者のホームターミナルからＣＡＴＶ伝送系を介してＣＡＴＶセンタに送信するとともに、ＣＡＴＶセンタに設けたデータ処理部により、検出データに基づく気象情報を生成し、この生成した気象情報を加入者のホームターミナルに送信するようにしたため、次のような顕著な効果を奏する。
【００３５】
（１）  ＣＡＴＶシステムのサービスエリア内における地区ごとに正確で信頼性の高い気象情報を提供できるとともに、不意に降ってくる雨に対しても迅速かつ的確に対応できる。
【００３６】
（２）  予め選定した複数の加入者の家屋又はその近傍に気象状態を検出するセンサを設置し、各センサの検出データを当該加入者のホームターミナルからＣＡＴＶ伝送系を介してＣＡＴＶセンタに送信するようにしたため、ＣＡＴＶシステムにおける双方向通信機能の利用により、ＣＡＴＶ伝達系の追加設備が少なくて済むなど、容易に実施できるとともに、加入者もセンサの検出データを直接利用できるなど、利便性に優れる。
【００３７】
（３）  好適な実施の形態により、気象情報を送信するに際し、予め、ホームターミナルに気象情報に係る複数の気象情報データを記憶させ、ＣＡＴＶセンタからホームターミナルにコードデータを送信することにより、コードデータに対応する気象情報データをホームターミナルから読み出すようにすれば、例えば、気象情報の配信を有料化し、指定したホームターミナルに対して個別に送信する場合にも容易に対応できる。
【００３８】
（４）  好適な実施の形態により、ホームターミナルがコードデータを受信したなら、当該コードデータに対応して所定の周辺機器を制御する二次制御信号を出力するようにすれば、留守などにより気象情報を知ることができない状況にあっても、例えば、降雨に対して洗濯物等を確実に保護できる。
【図面の簡単な説明】
【図１】本発明の好適な実施例に係る情報処理方法の処理手順を順を追って示すフローチャート、
【図２】同情報処理方法を実施できるＣＡＴＶシステムの全体系統図、
【図３】同ＣＡＴＶシステムの要部を含む全体概要図、
【図４】同ＣＡＴＶシステムの要部の回路ブロックを含む全体構成図、
【図５】同ＣＡＴＶシステムに備える雨滴センサの具体的構成図、
【図６】同ＣＡＴＶシステムに備える自動物干竿格納装置の原理構成図、
【図７】同ＣＡＴＶシステムにおけるテレビジョン受像機及びホームターミナルの外観図、
【図８】同情報処理方法を実施できる変更実施例に係るＣＡＴＶシステムの要部の回路ブロックを含む全体構成図、
【符号の説明】
１      ＣＡＴＶシステム
２…    センサ
２ｒ…  雨滴センサ
３      ＣＡＴＶ伝送系
４      ＣＡＴＶセンタ
５      データ処理部
６…    ホームターミナル
１１…  家屋
１２    周辺機器
Ｄｓ…  気象情報データ（降雨情報データ）
Ｄｃ    コードデータ
Ｓｄ    二次制御信号
Ｃｃ    専用チャンネル
【図１】
0004249315.tif 000002
【図２】
0004249315.tif 000003
【図３】
0004249315.tif 000004
【図４】
0004249315.tif 000005
【図５】
0004249315.tif 000006
【図６】
0004249315.tif 000007
【図７】
0004249315.tif 000008
【図８】
0004249315.tif 000009